(57)【要約】【課題】予約時刻にコンテンツデータの視聴が困難なときには、受信したコンテンツデータを記録することができるディジタル放送受信装置を提供する。【解決手段】コンテンツデータを含むディジタル放送波を受信する受信部１０２と、発音を行うスピーカ１１０と、通常モードとマナーモードを設定する入力部１０６と、コンテンツデータの予約時刻を設定する視聴予約部１０５と、現時刻が、設定された予約時刻になったときに、通常モードが設定されている場合には、受信部１０２が受信したコンテンツデータの再生処理を行い、マナーモードが設定されている場合には、受信部１０２が受信したコンテンツデータを記録部１１１に記録させる制御部１１２とを設ける。【選択図】図１
2005341479.tif 000002
【特許請求の範囲】
【請求項１】
コンテンツデータを含むディジタル放送波を受信する受信手段と、
発音を行う発音手段と、
前記発音手段が発音することにより少なくとも着信の報知を行う第１のモードと、該報知を前記発音手段に発音させない第２のモードのいずれかのモードを設定するモード設定手段と、
前記コンテンツデータの予約時刻を設定する設定手段と、
現時刻が前記設定手段により設定された予約時刻になったときに、前記モード設定手段により第１のモードが設定されている場合には、前記受信手段が受信したコンテンツデータの再生処理を行い、前記モード設定手段により第２のモードが設定されている場合には、前記受信手段が受信したコンテンツデータを記録手段に記録させる制御手段と
を有することを特徴とするディジタル放送受信装置。
【請求項２】
前記制御手段は、記録処理中に、前記モード設定手段が前記第２のモードから第１のモードへ設定を変更する場合には、前記記録手段から当該コンテンツデータを読み出して再生処理を行う
ことを特徴とする請求項１に記載のディジタル放送受信装置。
【請求項３】
前記制御手段は、記録処理中に、前記コンテンツデータに関する情報の出力指示が入力された場合には、当該記録処理のコンテンツデータに関する情報を出力する
ことを特徴とする請求項１または請求項２に記載のディジタル放送受信装置。
【請求項４】
前記制御手段は、記録処理を行っているときは、当該記録処理を行っている旨を示す報知を行う
ことを特徴とする請求項１から請求項３のいずれかに記載のディジタル放送受信装置。
【請求項５】
コンテンツデータを表示する表示手段を有し、
前記制御手段は、前記第２のモードが設定され、前記記録手段が記録処理の場合は、前記表示手段に前記受信したコンテンツデータを表示しないことを特徴とする
請求項１に記載のディジタル放送受信装置。
【請求項６】
コンテンツデータを含むディジタル放送波を受信する受信手段と、
発音を行う発音手段と、
前記発音手段が発音することにより少なくとも着信の報知を行う第１のモードと、該報知を前記発音手段に発音させない第２のモードのいずれかのモードを設定するモード設定手段と、
前記受信手段が受信したコンテンツデータを再生処理している場合に、前記モード設定手段が前記第１のモードから第２のモードへ設定を変更すると、前記受信手段が受信したコンテンツデータを記録手段に記録させる制御手段と
を有することを特徴とするディジタル放送受信装置。
【請求項７】
前記制御手段は、前記記録処理中に、前記モード設定手段が第２のモードから第１のモードへ設定を変更すると、前記記録手段に記録したコンテンツデータを読み出して再生処理を行う
ことを特徴とする請求項６に記載のディジタル放送受信装置。
【請求項８】
前記制御手段は、前記記録処理中に、前記コンテンツデータに関する情報の出力指示が入力された場合には、当該記録処理のコンテンツデータに関する情報を出力する
ことを特徴とする請求項６または請求項７に記載のディジタル放送受信装置。
【請求項９】
ディジタル放送受信装置に実行させるプログラムであって、
コンテンツデータの予約時刻を設定する第１のステップと、
現時刻が、前記第１のステップにより設定された設定された予約時刻になったときに、発音手段が発音することにより少なくとも着信の報知を行う第１のモードが設定されている場合には、受信手段が受信したディジタル放送波に含まれるコンテンツデータの再生処理を行い、該報知を発音手段に発音させない第２のモードが設定されている場合には、受信手段が受信したコンテンツデータを記録手段に記録させる第２のステップと
をディジタル放送受信装置に実行させることを特徴とするプログラム。
【請求項１０】
ディジタル放送受信装置に実行させるプログラムであって、
受信手段が受信したディジタル放送波に含まれるコンテンツデータを再生処理する第１のステップと、
前記第１のステップで前記再生処理を行っている場合に、発音手段が発音することにより少なくとも着信による報知を行う第１のモードから、該報知を発音手段に発音させない第２のモードへ設定が変更されると、受信手段が受信したコンテンツデータを記録手段に記録させる第２のステップと
をディジタル放送受信装置に実行させることを特徴とするプログラム。
【発明の詳細な説明】
【技術分野】
【０００１】
本発明は、例えば、携帯電話等のディジタル放送受信装置およびプログラムに関し、特にディジタル放送を受信して記録するディジタル放送受信装置およびプログラムに関する。
【背景技術】
【０００２】
近年、携帯電話機にテレビチューナを内蔵する技術が知られている（例えば、特許文献１参照）。また、地上波ディジタル放送または衛星ディジタル放送では、主に携帯性の高い小型受信機向けに、１または３セグメントの伝送帯域を使用した放送が予定されている。
【特許文献１】特開２００２−９９２０号公報
【発明の開示】
【発明が解決しようとする課題】
【０００３】
上述の装置は、例えばディジタル放送の所望の番組（コンテンツデータ）を視聴するための予約時刻を設定した場合、予約時刻になると自動的に装置の視聴用アプリケーションを起動しディジタル放送を受信して番組を再生する。
しかし、この装置は、視聴が困難な場合、例えば電車の中や映画館等、マナーとして静寂が求められる場所において、設定した予約時刻になったときには、自動的に受信した番組（コンテンツデータ）を発音しながら再生するので、周囲に迷惑をかけてしまう。または、スピーカ等から音が出力されないため見逃してしまう問題もある。
【０００４】
本発明は、かかる事情に鑑みてなされたものであり、その目的は、予約時刻にコンテンツデータの視聴が困難なときには、受信したコンテンツデータを記録することができるディジタル放送受信装置、およびプログラムを提供することにある。
【課題を解決するための手段】
【０００５】
前記目的を達成するために、本発明の第１の観点のディジタル放送受信装置は、コンテンツデータを含むディジタル放送波を受信する受信手段と、発音を行う発音手段と、前記発音手段が発音することにより少なくとも着信の報知を行う第１のモードと、該報知を前記発音手段に発音させない第２のモードのいずれかのモードを設定するモード設定手段と、前記コンテンツデータの予約時刻を設定する設定手段と、現時刻が前記設定手段により設定された予約時刻になったときに、前記モード設定手段により第１のモードが設定されている場合には、前記受信手段が受信したコンテンツデータの再生処理を行い、前記モード設定手段により第２のモードが設定されている場合には、前記受信手段が受信したコンテンツデータを記録手段に記録させる制御手段とを有する。
【０００６】
さらに、前記目的を達成するために、本発明の第２の観点のディジタル放送受信装置は、コンテンツデータを含むディジタル放送波を受信する受信手段と、発音を行う発音手段と、前記発音手段が発音することにより少なくとも着信の報知を行う第１のモードと、該報知を前記発音手段に発音させない第２のモードのいずれかのモードを設定するモード設定手段と、前記受信手段が受信したコンテンツデータを再生処理している場合に、前記モード設定手段が前記第１のモードから第２のモードへ設定を変更すると、前記受信手段が受信したコンテンツデータを記録手段に記録させる制御手段とを有する。
【０００７】
さらに、前記目的を達成するために、本発明の第３の観点のプログラムは、ディジタル放送受信装置に実行させるプログラムであって、コンテンツデータの予約時刻を設定する第１のステップと、現時刻が、前記第１のステップにより設定された設定された予約時刻になったときに、発音手段が発音することにより少なくとも着信の報知を行う第１のモードが設定されている場合には、受信手段が受信したディジタル放送波に含まれるコンテンツデータの再生処理を行い、該報知を発音手段に発音させない第２のモードが設定されている場合には、受信手段が受信したコンテンツデータを記録手段に記録させる第２のステップとをディジタル放送受信装置に実行させる。
【０００８】
さらに、前記目的を達成するために、本発明の第４の観点のプログラムは、ディジタル放送受信装置に実行させるプログラムであって、受信手段が受信したディジタル放送波に含まれるコンテンツデータを再生処理する第１のステップと、前記第１のステップで前記再生処理を行っている場合に、発音手段が発音することにより少なくとも着信による報知を行う第１のモードから、該報知を発音手段に発音させない第２のモードへ設定が変更されると、受信手段が受信したコンテンツデータを記録手段に記録させる第２のステップとをディジタル放送受信装置に実行させる。
【発明の効果】
【０００９】
本発明によれば、予約時刻にコンテンツデータの視聴が困難なときには、受信したコンテンツデータを記録することができるディジタル放送受信装置、およびプログラムを提供することができる。
【発明を実施するための最良の形態】
【００１０】
図１は、本発明に係るディジタル放送受信装置の一実施形態の機能ブロック図である。
本実施形態に係るディジタル放送受信装置１００は、例えばディジタル放送受信機能、および受信したディジタル放送を記録する機能を有する携帯電話、ＰＤＡ（Personal digital assistant）、カーナビゲーション装置等の移動体用ディジタル放送受信装置である。
本実施形態ではディジタル放送受信装置として携帯電話１００を説明する。
【００１１】
本実施形態に係る携帯電話１００は、例えば図１に示すように、電話送受信部１０１、受信部１０２、再生部１０３、計時部１０４、視聴予約部１０５、入力部１０６、発光部１０７、振動部１０８、表示部１０９、スピーカ１１０、記録部１１１、および制御部１１２を有する。
制御部１１２と、各構成要素はバスＢＳにより接続されている。
【００１２】
受信部１０２および再生部１０３は、本発明に係る受信手段の一例に相当し、視聴予約部１０５および入力部１０６は、本発明に係る設定手段の一例に相当する。
スピーカ１１０は、本発明に係る発音手段の一例に相当し、記録部１１１は、本発明に係る記録手段の一例に相当し、制御部１１２は、本発明に係る制御手段の一例に相当する。
【００１３】
電話送受信部１０１は、例えば制御部１１２の制御により、基地局や他の通信装置と、アンテナＡＮＴ１を介して音声通信やデータ通信を行う。
受信部１０２は、例えば制御部１１２の制御により、コンテンツデータ（番組）を含むディジタル放送波を受信し、制御部１１２に出力する。
例えば受信部１０２は、ディジタル放送波、詳細には地上デジタル放送波、衛星ディジタル放送等をアンテナＡＮＴ２を介して受信し、再生部１０３を介して制御部１１２に出力する。
【００１４】
再生部１０３は、例えば制御部１１２の制御により、受信部１０２で受信したコンテンツデータにデコード処理を施して、画像データや音声データを生成し、表示部１０９、スピーカ１１０、および制御部１１２等に出力する。
【００１５】
計時部１０４は、例えば振動子等の振動信号に基づいて時刻を計時し、現在時刻を示す時刻情報を制御部１１２に出力する。
【００１６】
視聴予約部１０５は、例えば制御部１１２の制御により、受信部１０２で受信したデータに含まれるディジタル放送の番組表データを示す電子番組ガイド情報（ＥＰＧ：Electronic Program Guide ）を取得し、制御部１１２や記録部１１１に出力する。
例えば、視聴予約部１０５は、他の電話送受信部１０１によるデータ通信によりＥＰＧを取得してもよい。
【００１７】
入力部１０６は、例えば、キーボードや、ポインティングデバイス、マイクロフォン等の入力装置により構成され、入力装置により入力された信号を制御部１１２に出力する。
【００１８】
また、入力部１０６は、例えば、スピーカ１１０が発音することにより少なくとも着信の報知を行う通常モードと、報知をスピーカ１１０に発音させない、いわゆるマナーモードのいずれかのモードを設定し、それを示す信号を制御部１１２に出力する。
通常モードは本発明に係る第１のモードの一例に相当し、マナーモードは本発明に係る第２のモードの一例に相当する。
【００１９】
例えばマナーモード時には、制御部１１２は、例えば発光部１０７に発光を行わせて報知を行い、または振動部１０８のバイブレータに振動を行わせて報知を行う。マナーモード時には、制御部１１２は、表示部１０９に報知のための画像を表示させて報知を行ってもよい。
【００２０】
発光部１０７は、例えば制御部１１２の制御により、着信や電子メール受信等を報知するための発光を行う。発光部１０７は、例えば発光ダイオード（ＬＥＤ）や有機ＥＬ素子等の発光素子により構成される。
振動部１０８は、例えばバイブレータ等の振動装置により構成され、マナーモード設定時に制御部１１２の制御により、装置本体部を振動することにより報知を行う。
【００２１】
表示部１０９は、例えば制御部１１２の制御により、画像表示を行う。
例えば表示部１０９は、液晶表示装置（ＬＣＤ：Liquid Crystal Display）や、ＴＦＴ（thin-film transistor）型表示装置等の表示装置である。
【００２２】
スピーカ１１０は、例えば制御部１１２の制御により、発音を行う。例えばスピーカ１１０は、制御部１１２の制御により、再生部１０３が生成した音声データに基づいて発音を行う。
【００２３】
記録部１１１は、例えば制御部１１２の制御により、受信部１０２で受信したコンテンツデータを記録し、必要に応じて記録するコンテンツデータを制御部１１２等に出力する。
また、記録部１１１は、プログラム（ＰＲＧ）や初期データ等を記録する。
【００２４】
プログラム（ＰＲＧ）は、例えば本発明に係る機能を含み、制御部１１２により実行されることにより本発明に係る機能を実現する。
記録部１１１は、例えばＲＡＭ（Random Access Memory）やＲＯＭ（Read Only Memory ）、磁気ディスク等の記録装置により構成される。また、記録部１１１は、装置本体部と着脱可能な記録装置であってもよい。
【００２５】
制御部１１２は、装置全体を制御する。制御部１１２は、例えば記録部１１１をワークスペースとして、プログラム（ＰＲＧ）を実行することにより、本発明に係る機能を実現する。
以下、制御部１１２の機能を説明する。
【００２６】
制御部１１２は、計時部１０４が計時する現時刻が視聴予約部１０５により設定されたコンテンツデータの予約時刻になったときに、入力部１０６により通常モードが設定されている場合には、受信部１０２が受信したディジタル放送波に含まれるコンテンツデータの再生処理を行う。また、制御部１１２は、入力部１０６によりマナーモードが設定されている場合には、受信部１０２が受信したコンテンツデータを記録部１１１に記録させる記録処理を行う。
【００２７】
また、制御部１１２は、その記録処理中に、入力部１０６がマナーモードから通常モードへ設定を変更する場合には、受信部１０２が受信するディジタル放送波に含まれるコンテンツデータを記録部１１１に書き込み、かつ記録部１１１から当該コンテンツデータを読み出して再生処理、例えば表示部１０９にコンテンツデータに応じた画像を表示させ、スピーカ１１０にコンテンツデータに応じた発音を行わせる。
【００２８】
また、制御部１１２は、記録処理中に、コンテンツデータに関する情報の出力指示が入力された場合には、当該記録処理のコンテンツデータに関する情報を出力する。
詳細には、制御部１１２は、記録処理中に、コンテンツデータに関する情報の出力指示を示す信号が入力部１０６から入力された場合には、当該記録処理のコンテンツデータに関する情報を、スピーカ１１０や表示部１０９に出力させる。
【００２９】
また、制御部１１２は、記録処理を行っているときは、当該記録処理を行っている旨を示す報知、例えば記録処理を示す画像を表示部１０９に表示させる。
【００３０】
また、制御部１１２は、受信部１０２が受信したディジタル放送波に含まれるコンテンツデータを再生処理している場合に、入力部１０６が通常モードからマナーモードへ設定を変更すると、受信部１０２が受信したコンテンツデータを、記録部１１１に記録させる記録処理を行う。
さらに、制御部１１２は、その状態から入力部１０６がマナーモードから通常モードへ設定を変更すると、記録部１１１に記録したコンテンツデータを読み出して再生処理を行う。
【００３１】
また、制御部１１２は、マナーモードが設定され、記録部１１１が記録処理を行っている場合は、表示部１０９に受信したコンテンツデータを表示しない。
【００３２】
図２は、図１に示した携帯電話のコンテンツデータの予約に係る処理を説明するための図である。図２を参照しながら、視聴予約に係る処理を制御部１１２の動作を中心に説明する。
【００３３】
コンテンツデータの視聴予約時には、制御部１１２は、視聴予約部１０５により取得されたＥＰＧデータを表示部１０９に表示させて、ユーザに予約を促す。
制御部１１２は、例えば入力部１０６から、ユーザの操作に応じた信号に基づいて、コンテンツデータ（番組）の視聴予約を行い、予約データとして記録部１１１に記録する。また、制御部１１２は、例えば図２に示すように、表示部１０９に視聴予約を示す情報を表示させる。
【００３４】
例えば、図２に示すように、表示部１０９は、画面上部にアンテナピクトＰ１、および時計情報Ｐ２を表示し、画面中央部にスケジュールデータＳＤと、コンテンツデータの視聴予約を示すデータＲＤを表示する。
【００３５】
視聴予約を示すデータＲＤは、例えば視聴予約開始日時データＲＤ１、視聴チャンネルデータＲＤ２、コンテンツの題名データＲＤ３等を有する。制御部１１２は設定された視聴予約を示すデータＲＤを記録部１１１に記録する。
【００３６】
この際、例えば、予約の内容はいわゆるスケジュール帳機能により保存することが好ましい。
スケジュール帳機能により保存すると、例えば会議などの視聴予約以外の予定も同時に確認することができるので利便性が向上する。
また、別の方法として予約の内容は視聴予約を列挙した専用の予約リストに保存し、予約リストから編集、追加、削除などの操作を行えるようにしてもよい。
【００３７】
図３は、図１に示した携帯電話の予約に係る処理の一具体例を説明するための図である。
予約処理時に、制御部１１２は、例えば図３に示すように、予約表示画面ＰＲ１に、「再生時間になったときマナーモードであれば記録（録画）を行う」旨の選択を促す表示を行い、その項目が選択されているコンテンツデータを記録するようにしてもよい。
詳細には、図３に示すように、予約表示画面ＰＲ１は、予約データ表示部ＰＲ２、アイコンＩ１、アイコンＩ２、およびアイコンＩ３を有する。
予約データ表示部ＰＲ２は、例えば図３に示すように、視聴予約開始日データＰＲ２１、視聴チャンネルデータＲＤ２、コンテンツの題名データＲＤ３、コンテンツデータの放送開始時刻を示す開始時刻データＰＲ２２、およびコンテンツデータの放送終了時刻を示す終了時刻データＰＲ２３を有する。
【００３８】
アイコンＩ１は予約開始時刻に視聴のみを選択する場合に入力部１０６により操作され、アイコンＩ２は視聴予約開始時刻に記録（記録）させる場合に入力部１０６により操作される。
また、アイコンＩ３は、予約開始時刻にマナーモード時に、受信したコンテンツデータを記録（記録）するか否かを選択する際に操作される。
制御部１１２は、これらアイコンＩ１〜Ｉ３の操作に応じた処理を行う。
【００３９】
以下、携帯電話１００の動作の一具体例を説明する。
図４は、図１に示した携帯電話の動作の一具体例を説明するためのフローチャートである。図４を参照しながら、制御部１１２の動作を中心に説明する。
【００４０】
ステップＳＴ１において、制御部１１２は、視聴予約部１０５が取得したＥＰＧデータ、および入力部１０６から入力された信号に基づいて、コンテンツデータの予約時刻を設定させる信号が入力されると、その信号に基づいて、予約開始時刻データやチャンネルデータ等を含む予約データを設定する。また、制御部１１２は記録部１１１にその予約データを記録する。
【００４１】
ステップＳＴ２において、制御部１１２は、計時部１０４が計時する現時刻が、設定された予約時刻か否かを判別し、予約時刻の場合には、装置の状態を確認する（ＳＴ３）。
【００４２】
詳細には、ステップＳＴ３において、制御部１１２は、例えば入力部１０６によりマナーモードが設定されている場合には、受信部１０２が受信したディジタル放送波に含まれるコンテンツデータを記録部１１１に記録させる記録処理を行う（ＳＴ４）。
より詳細には、制御部１１２は、再生部１０３に受信部１０２で受信した信号に復号処理を施させて生成されたコンテンツデータを記録部１１１に記録する。
このとき、制御部１１２は、再生部１０３による処理画像を表示部１０９に表示させてもよいし、他のデータ表示を行わせている場合には、並列処理としてバックグラウンド処理を行う。
【００４３】
図５は、図１に示した携帯電話の表示部が表示する画像の一具体例を示す図である。
制御部１１２は、例えば受信するコンテンツデータを記録部１１１に記録させる記録処理を、他の処理（待ち受け表示処理等）と並列処理を行う場合には、例えば図５に示すように、記録処理を行っている旨を示す報知としての表示Ｐ３を、表示部１０９に表示させる。
つまり、表示Ｐ３は再生部１０３が起動していることを示す。この際、発音やバイブレータの設定はマナーモードの設定に従う。
【００４４】
一方、ステップＳＴ３において、制御部１１２は、例えば入力部１０６により通常モードが設定されている場合には、受信部１０２が受信したディジタル放送波に含まれるコンテンツデータの再生処理を行う。
詳細には、制御部１１２は、受信部１０２で受信した信号を再生部１０３にデコードさせてコンテンツデータを生成させ、表示部１０９にコンテンツデータに応じた表示を行わせ、スピーカ１１０にコンテンツデータに応じた発音を行わせる。
【００４５】
なお、制御部１１２は、コンテンツデータを記録部１１１に記録する際には、例えば下記の方法により記録を行うことが好ましい。
〔方法１〕
制御部１１２は、記録部１１１へのコンテンツデータの記録レート（記録品質の度合いや単位時間当たりのデータ量に相当する）を、記録部１１１の記録可能な空き容量に応じて制御する。
例えば制御部１１２は、記録部１１１の空き容量が小さいほど、低い記録レートで記録部１１１にコンテンツデータを記録する。このレートは番組の品質を損なわない程度とすることが好ましい。
【００４６】
また、コンテンツデータの予約を行うときに、記録レートを選択できるように設定することで、所望の品質で記録を行うことができる。また、制御部１１２は記録部１１１の空き容量がなくなったらコンテンツデータの記録を終了し、記録部１１１の空き容量が不足していたために記録が中断された旨をユーザに通知する。例えば表示部１０９や発光部１０７等により通知を行わせる。
【００４７】
〔方法２〕
また、制御部１１２は、コンテンツデータを記録するとき、視聴予約情報の開始時刻、終了時刻と記録レートに基づいて、記録部１１１にコンテンツデータを規定された形式で記録させるために必要な空き容量を計算する。
制御部１１２は、必要な空き容量が足りない場合は、空き容量と開始時刻、終了時刻に基づいて、受信するコンテンツデータを最後まで記録できるように、記録レートを演算により決定する。制御部１１２は、その決定した記録レートにより予定時刻になるとコンテンツデータを記録部１１１に記録させる。
【００４８】
ただし、制御部１１２は、この記録レートが、予めユーザが指定している最低レートより低い場合には、最低レートの値を採用して記録を行う。
【００４９】
〔番組を記録しているときの動作〕
また、例えば、ユーザが番組の記録を行っていることに気づかずにマナーモードを解除するとスピーカ１１０から発音されて困る場合がある。このため制御部１１２は、記録処理中にマナーモードを解除した場合は、スピーカ１１０からの発音は行わずに消音にする。このとき例えば図５に示すように記録中である旨をユーザに通知してもよい。
【００５０】
図６は、図１に示した携帯電話の動作の一具体例を説明するための図である。図６を参照しながら、記録開始時はマナーモードが設定されていたが、記録処理中にユーザが明示的にマナーモードを解除して通常モードに変更した場合の動作を説明する。
【００５１】
制御部１１２は、入力部１０６が、コンテンツデータの記録中にマナーモードを解除して通常モードに変更した場合には、例えば図６に示すように、再生部１０３に記録部１１１に記録しているコンテンツデータを再生させる。この際、制御部１１２は、設定に応じてコンテンツデータの最初から再生させることが好ましい。
また、制御部１１２は、コンテンツデータを再生中でも、コンテンツデータの記録処理は中断せずに、記録処理を継続して行い、つまり追っかけ再生処理を行う。
制御部１１２は、この状態でコンテンツデータを最後まで視聴した場合、再生終了時に番組を保存するかどうかユーザに確認し、保存する場合は記録部１１１に保存し、破棄する場合は記録部１１１からコンテンツデータを消去する。
【００５２】
図７は、図１に示した携帯電話の動作の一具体例を説明するための図である。
また、制御部１１２は、記録処理中のマナーモードの解除以外にもチャンネル変更や電源ボタンの押下などで、記録処理が中断された場合には、即座にその操作に応じた処理を行わずに、所定のキーなどの長押し、または再度、同じボタンを短押ししたときに、対応する動作を行うようにすることが好ましい。こうすることでユーザに記録処理中であることを報知することができる。
【００５３】
また、図７に示すように、最初のボタン押下時に記録処理中である旨を示す表示Ｉ１１を表示部１０９に表示させて、記録処理中である旨をユーザに通知してもよい。
また、図７に示すように、記録処理の継続を選択させるアイコンＩ１１１や、記録処理の中止を選択させるアイコンＩ１１２を表示させ、制御部１１２は、入力部１０６から入力された、そのアイコンＩ１１１，Ｉ１１２の操作を示す信号に応じて、記録処理の継続または中止を行ってもよい。
【００５４】
図８は、図１に示した携帯電話の動作の一具体例を説明するためのフローチャートである。
制御部１１２は、上述した処理を行っている場合に、図８に示すような動作を行ってもよい。
【００５５】
例えば、制御部１１２は、マナーモード設定時には、スピーカ１１０による発音は行わない。
ステップＳＴ１１において、制御部１１２は、コンテンツデータを記録部１１１に記録処理中には、コンテンツデータに関する情報の出力指示が入力された場合、詳細には入力部１０６の音声出力ボタンを押下している間は、記録処理中に、当該記録処理のコンテンツデータに関する情報を出力、詳細には音声または映像の出力を行う（ＳＴ１２）。
または、制御部１１２は、イヤホンを挿入しているときだけ音声の出力を行う。
【００５６】
制御部１１２は、音声出力ボタンの押下が停止した場合やイヤホンが抜かれた場合には、音声または映像の出力を中止し、前の状態に戻る。
上述した動作を行うことでマナーモード中でも簡単に番組の内容を確認することができる。
【００５７】
次に、制御部１１２が、受信部１０２で受信したコンテンツデータを記録し終わったときの動作を説明する。
例えば、制御部１１２は、記録が終わったことを示す表示を表示部１０９に表示させ、または振動部１０８に振動などでユーザに報知を行う。
【００５８】
また、制御部１１２は、視聴予約リストから項目の削除を行う。また、制御部１１２は、同一の番組の再放送の日時が取得できる場合はその日時をＥＰＧなどから取得しユーザに報知する。
【００５９】
図９は、図１に示した携帯電話の動作の一具体例を説明するための図である。視聴予約を行っていないコンテンツデータ（番組）を視聴しているときに、マナーモードに設定あるいは解除した場合の動作を図９を参照しながら、制御部１１２の動作を中心に説明する。
【００６０】
制御部１１２は、コンテンツデータの視聴中は、受信部１０２により受信したデータを再生する。
制御部１１２は、再生処理している場合に通常モードからマナーモードに設定が変更されると、その時刻からコンテンツデータを記録部１１１に記録処理を開始する。
制御部１１２は、コンテンツデータの記録処理はマナーモードが解除されるまで、またはコンテンツデータの受信が終了するまで行う。マナーモード中の音の設定はマナーモードの設定に従う。
【００６１】
制御部１１２は、ある時点でユーザがマナーモードを解除して通常モードに設定を変更すると、記録部１１１に保存してあるデータを、はじめから再生処理を行う。
制御部１１２は、このときコンテンツデータを再生中でも、受信するコンテンツデータの記録は中断せずに、記録は継続する、つまり追っかけ再生処理を行う。
【００６２】
また、制御部１１２は、記録部１１１が記録するコンテンツデータを全て再生し終わったときに、記録部１１１に記録したコンテンツデータは削除する。
【００６３】
以上のような動作を行うことで、視聴予約していない番組の視聴中にユーザの都合が悪くなって番組の一部を視聴できない場合でも番組を全て視聴することができる。
【００６４】
以上説明したように、コンテンツデータを含むディジタル放送波を受信する受信部１０２と、発音を行うスピーカ１１０と、スピーカ１１０が発音することにより少なくとも着信の報知を行う通常モードと、報知をスピーカ１１０に発音させないマナーモードのいずれかのモードを設定する入力部１０６と、コンテンツデータの予約時刻を設定する視聴予約部１０５と、計時部１０４が計時する現時刻が、設定された予約時刻になったときに、通常モードが設定されている場合には、受信部１０２が受信したコンテンツデータの再生処理を行い、マナーモードが設定されている場合には、受信部１０２が受信したコンテンツデータを記録部１１１に記録させる制御部１１２とを設けたので、予約時刻にコンテンツデータの視聴が困難なときには、受信したコンテンツデータを記録することができるディジタル放送受信装置、およびプログラムを提供することができる。
【００６５】
また、視聴予約した時間になったときユーザが、コンテンツデータを視聴できなかった場合でも、マナーモードにしておけば記録媒体に記録されているので後から視聴することができコンテンツデータを見逃すということがなくなる。
また、ユーザが視聴できない場合のときはマナーモードになっている場合が多いのでマナーモードと連動することで利便性が向上する。
【００６６】
マナーモードに設定しておけば自動的に記録部１１１に記録されるので、予約画面を呼び出して設定を変更するという煩雑な操作をしなくてよい。
【００６７】
また、記録処理中であることをユーザが気づかずに電源キーを押下しても、その動作がすぐには実行されないのでコンテンツデータを最後まで記録することができる。
【００６８】
ユーザが視聴できないときだけコンテンツデータを記録することができるのでコンテンツデータを見逃すことがなく記録部１１１の有効活用もできる。
【００６９】
また、記録処理中に特定のボタンを押下し続けたときだけ、コンテンツデータの確認ができるので、確認のための操作、確認し終わったときの操作が必要ないので簡単に内容を確認することができる。
【００７０】
なお、本発明は本実施形態に限られるものではなく、任意好適な改変が可能である。
例えば、上述したマナーモードは、この形態に限られるものではない。
【図面の簡単な説明】
【００７１】
【図１】本発明に係るディジタル放送受信装置の一実施形態の機能ブロック図である。
【図２】図１に示した携帯電話のコンテンツデータの予約に係る処理を説明するための図である。
【図３】図１に示した携帯電話の予約に係る処理の一具体例を説明するための図である。
【図４】図１に示した携帯電話の動作の一具体例を説明するためのフローチャートである。
【図５】図１に示した携帯電話の表示部が表示する画像の一具体例を示す図である。
【図６】図１に示した携帯電話の動作の一具体例を説明するための図である。
【図７】図１に示した携帯電話の動作の一具体例を説明するための図である。
【図８】図１に示した携帯電話の動作の一具体例を説明するためのフローチャートである。
【図９】図１に示した携帯電話の動作の一具体例を説明するための図である。
【符号の説明】
【００７２】
１００…ディジタル放送受信装置（携帯電話）、１０１…電話送受信部、１０２…受信部、１０３…再生部、１０４…計時部、１０５…視聴予約部、１０６…入力部、１０７…発光部、１０８…振動部、１０９…表示部、１１０…スピーカ、１１１…記録部、１１２…制御部、ＰＲＧ…プログラム。
【図１】
2005341479.tif 000003
【図２】
2005341479.tif 000004
【図３】
2005341479.tif 000005
【図４】
2005341479.tif 000006
【図５】
2005341479.tif 000007
【図６】
2005341479.tif 000008
【図７】
2005341479.tif 000009
【図８】
2005341479.tif 000010
【図９】
2005341479.tif 000011